(57)【要約】【課題】電子番組表を用いた選局を行う際に、視聴決定を実行してから番組が表示されるまでの時間を短縮することができるデジタル放送受信装置を提供する。【解決手段】制御部１２は、チューナ２ａ，２ｂのうち再生に用いていないチューナにより、電子番組表におけるカーソルの移動先のチャンネルを裏チャンネルとして選局させ、視聴決定の指示が入力されたときに、セレクタ６による選択の切り替えにより裏チャンネルの番組を表示させる。【選択図】図１
2009033225.tif 000002
【特許請求の範囲】
【請求項１】
放送電波に含まれる複数のチャンネルの中から第１のチャンネルを選局して、この選局したチャンネルに含まれる第１の映像信号を再生し出力する第１の選局手段と、
前記複数のチャンネルの中から第２のチャンネルを選局して、この選局したチャンネルに含まれる第２の映像信号を再生し出力する第２の選局手段と、
入力される前記第１または第２の映像信号のうちのいずれか一方を選択して出力する選択手段と、
第１の所定期間に放送予定の複数の番組の番組名を少なくとも含む番組情報を外部から取得する番組情報取得手段と、
前記番組情報を用いて、前記第１の所定期間内の第２の所定期間に放送予定の複数の番組の番組名を表示する電子番組表画面を生成する電子番組表画面生成手段と、
前記選択手段から出力される前記第１の映像信号または前記第２の映像信号に、前記電子番組表画面を合成して合成電子番組表画面を生成するとともに、この生成した合成電子番組表画面を表示する電子番組表表示手段と、
前記電子番組表表示手段が前記合成電子番組表画面を表示中に、この合成電子番組表画面に表示されている前記第２の所定期間に放送予定の複数の番組の番組名のうちの１つの番組名を選択する指示が外部から入力された場合、この指示によって選択された番組名の番組に対応するチャンネルを裏チャンネルとして選局させるように、前記選択手段が選択していない方の前記第１または第２の映像信号を出力する前記第１または第２の選局手段である他の選局手段を制御し、
その後、前記裏チャンネルの番組の視聴を決定する指示が外部から入力された場合、前記他の選局手段から出力される前記第１または第２の映像信号である他の映像信号を選択させるように前記選択手段を制御する第１の選局制御手段と
を備えることを特徴とするデジタル放送受信装置。
【請求項２】
放送予定番組の放送日、放送開始時刻、番組名、チャンネルを含む視聴予約情報を設定する視聴予約設定手段と、
前記視聴予約設定手段により前記視聴予約情報が設定されている場合、前記視聴予約情報における放送開始時刻が直近の視聴予約番組である直近視聴予約番組に対応するチャンネルを裏チャンネルとして選局させるように、前記他の選局手段を制御し、
その後、前記直近視聴予約番組の放送開始時刻になった場合、前記他の映像信号を選択させるように前記選択手段を制御する第２の選局制御手段と
をさらに備えることを特徴とする請求項１記載のデジタル放送受信装置。
【発明の詳細な説明】
【技術分野】
【０００１】
本発明は、電子番組表（ＥＰＧ：Electronic Program Guide）を表示する機能を有するデジタル放送受信装置に関する。
【背景技術】
【０００２】
デジタル放送を受信するデジタル放送受信装置では、アナログ放送を受信するアナログ放送受信装置に比べると選局時間が長く、その選局時間中は表示画面がブラックアウトされているのが一般的であり、ユーザに対してストレスを感じさせてしまう。このため、選局時間短縮の要望が大きい。
【０００３】
デジタル放送受信装置において選局時間を短縮する技術としては、特許文献１に開示されたものがある。特許文献１では、通常の選局に用いる第１のチューナと、常時デジタル放送信号を選局する第２のチューナとを備え、第２のチューナによって選局可能なチャンネルの静止画像を予め取得蓄積しておき、高速順次選局の際に、この蓄積された静止画像を、ＯＳＤ（On Screen Display）表示するチャンネル番号と対応付けて映出することにより、画像つきの高速選局を擬似的に実現している。
【特許文献１】特開２００２−３２０１５３号公報
【発明の開示】
【発明が解決しようとする課題】
【０００４】
デジタル放送では、ユーザに多数の番組の中から所望の番組を容易に選択させるために電子番組表が用意されている。ユーザは、電子番組表を所望の番組の選局や視聴予約などの番組選局に必要な補助手段として利用することができる。
【０００５】
特許文献１では、チャンネルアップキーやチャンネルダウンキーを用いた順次選局の際に高速選局を行うことが記載されているが、電子番組表からの選局を行う場合の選局時間の短縮については言及されていない。
【０００６】
本発明は上記に鑑みてなされたもので、電子番組表を用いた選局を行う際に、視聴決定を実行してから番組が表示されるまでの時間を短縮することができるデジタル放送受信装置を提供することを目的とする。
【課題を解決するための手段】
【０００７】
上記目的を達成するため、本発明のデジタル放送受信装置は、放送電波に含まれる複数のチャンネルの中から第１のチャンネルを選局して、この選局したチャンネルに含まれる第１の映像信号を再生し出力する第１の選局手段と、前記複数のチャンネルの中から第２のチャンネルを選局して、この選局したチャンネルに含まれる第２の映像信号を再生し出力する第２の選局手段と、入力される前記第１または第２の映像信号のうちのいずれか一方を選択して出力する選択手段と、第１の所定期間に放送予定の複数の番組の番組名を少なくとも含む番組情報を外部から取得する番組情報取得手段と、前記番組情報を用いて、前記第１の所定期間内の第２の所定期間に放送予定の複数の番組の番組名を表示する電子番組表画面を生成する電子番組表画面生成手段と、前記選択手段から出力される前記第１の映像信号または前記第２の映像信号に、前記電子番組表画面を合成して合成電子番組表画面を生成するとともに、この生成した合成電子番組表画面を表示する電子番組表表示手段と、前記電子番組表表示手段が前記合成電子番組表画面を表示中に、この合成電子番組表画面に表示されている前記第２の所定期間に放送予定の複数の番組の番組名のうちの１つの番組名を選択する指示が外部から入力された場合、この指示によって選択された番組名の番組に対応するチャンネルを裏チャンネルとして選局させるように、前記選択手段が選択していない方の前記第１または第２の映像信号を出力する前記第１または第２の選局手段である他の選局手段を制御し、その後、前記裏チャンネルの番組の視聴を決定する指示が外部から入力された場合、前記他の選局手段から出力される前記第１または第２の映像信号である他の映像信号を選択させるように前記選択手段を制御する第１の選局制御手段とを備えることを特徴とする。
【０００８】
また、本発明のデジタル放送受信装置は、放送予定番組の放送日、放送開始時刻、番組名、チャンネルを含む視聴予約情報を設定する視聴予約設定手段と、前記視聴予約設定手段により前記視聴予約情報が設定されている場合、前記視聴予約情報における放送開始時刻が直近の視聴予約番組である直近視聴予約番組に対応するチャンネルを裏チャンネルとして選局させるように、前記他の選局手段を制御し、その後、前記直近視聴予約番組の放送開始時刻になった場合、前記他の映像信号を選択させるように前記選択手段を制御する第２の選局制御手段とをさらに備えることを特徴とする。
【発明の効果】
【０００９】
本発明のデジタル放送受信装置によれば、電子番組表を用いた選局を行う際に、視聴決定を実行してから番組が表示されるまでの時間を短縮することができる。
【発明を実施するための最良の形態】
【００１０】
以下、本発明のデジタル放送受信装置を実施するための最良の形態について、図面を参照して説明する。
【００１１】
図１は、本発明の実施の形態に係るデジタル放送受信装置の構成を示すブロック図である。図１に示すように、本実施の形態に係るデジタル放送受信装置１は、チューナ２ａ，２ｂと、デマルチプレクサ（ＤＥＭＡＸ）３ａ，３ｂと、デコーダ４ａ，４ｂと、映像処理部５ａ，５ｂと、セレクタ６と、ＥＰＧ表示部７と、映像合成部８と、映像出力部９と、表示部１０と、受光部１１と、制御部１２と、メモリ１３とを備え、アンテナ１４と接続されている。
【００１２】
チューナ２ａ，２ｂは、それぞれデジタル放送電波から所望のチャンネルを、アンテナ１４を介して選局し、この選局したチャンネルの信号に復調処理や誤り訂正処理等を施して、トランスポートストリーム形式のデジタル信号を出力する。
【００１３】
デマルチプレクサ３ａ，３ｂは、チューナ２ａ，２ｂから出力されたトランスポートストリームから圧縮された映像データを抽出し、これをデコーダ４ａ，４ｂに出力する。また、デマルチプレクサ３ａ，３ｂは、デジタル放送電波の各チャンネルに含まれるＳＩ（Service Information）データから電子番組表データ（番組情報）を取得し、これを制御部１２に出力する。電子番組表データには、第１の所定期間に放送予定の複数の番組の番組データが含まれており、この番組データには、その番組の番組名、放送日、放送開始終了時刻、チャンネル、番組内容等の情報が含まれている。なお、電子番組表データは、インターネットを介してインターネットサイトから取得する等してもよい。
【００１４】
デコーダ４ａ，４ｂは、デマルチプレクサ３ａ，３ｂからの圧縮された映像データを伸張し、伸張された映像データを映像処理部５ａ，５ｂに出力する。
【００１５】
映像処理部５ａ，５ｂは、デコーダ４ａ，４ｂからの映像データを表示部１０に表示できる映像信号に変換して出力する。
【００１６】
セレクタ６は、映像処理部５ａ，５ｂからの映像信号のうち、一方を選択して映像合成部８に出力する。
【００１７】
ＥＰＧ表示部７は、電子番組表データを用いて、第１の所定期間内の第２の所定期間に放送予定の複数の番組について、その番組名等の情報を表示する電子番組表画面を生成し、これを映像合成部８に出力する。
【００１８】
映像合成部８は、制御部１２の指示に基づいてＥＰＧ表示部７により生成された電子番組表画面が入力された場合、セレクタ６からの映像信号に電子番組表画面を合成して合成電子番組表画面を生成し、これを映像出力部９に出力する。電子番組表画面が入力されない場合、映像合成部８は、セレクタ６からの映像信号をそのまま映像出力部９に出力する。
【００１９】
映像出力部９は、映像合成部８からの合成電子番組表画面または映像信号を表示部１０に出力する処理を行う。
【００２０】
表示部１０は、液晶ディスプレイ、プラズマディスプレイ等からなり、映像出力部９から入力される合成電子番組表画面または映像信号を映像に変換して表示する。
【００２１】
受光部１１は、リモコン（図示せず）より出力される例えば赤外線を受光し、この赤外線が有する伝達信号を操作信号に適宜変換して制御部１２へ出力する。
【００２２】
制御部１２は、デジタル放送受信装置１に設けられた各部を統括的に制御する。メモリ１３は、電子番組表データや、制御部１２で生成される視聴予約情報などを記憶する。
【００２３】
次に、デジタル放送受信装置１の動作について説明する。
【００２４】
通常の再生時においては、チューナ２ａにより選局したチャンネルの番組を再生しているとする。この場合、チューナ２ａは、アンテナ１４を介して選局した所望のチャンネルの信号に復調処理や誤り訂正処理等を施して、トランスポートストリーム形式のデジタル信号を出力する。
【００２５】
デマルチプレクサ３ａは、チューナ２ａからのトランスポートストリームから圧縮された映像データを抽出し、デコーダ４ａは、デマルチプレクサ３ａからの圧縮された映像データを伸張する。映像処理部５ａは、デコーダ４ａからの映像データを表示部１０に表示できる映像信号に変換して出力する。映像処理部５ａから出力された映像信号は、セレクタ６、映像合成部８、映像出力部９を介して表示部１０に出力され、表示される。    
また、デマルチプレクサ３ａは、選局したチャンネルの信号に含まれるＳＩデータから電子番組表データを取得し、これを制御部１２に出力する。制御部１２は、取得した電子番組表データをメモリ１３に格納する。
【００２６】
ここで、ユーザのリモコン操作に基づく電子番組表の表示指示が受光部１１を介して入力されると、制御部１２は、メモリ１３に格納されている電子番組表データをＥＰＧ表示部７に供給し、電子番組表画面を生成させる。生成された電子番組表画面は、映像合成部８によりセレクタ６からの映像信号に合成されて合成電子番組表画面となり、映像出力部９を介して表示部１０に表示される。
【００２７】
図２は、合成電子番組表画面により表示される電子番組表の一例を示す図である。図２に示す電子番組表２０において、番組表示欄２１Ａ，２１Ｂ，２１Ｃ，…には、それぞれチャンネルＡ，Ｂ，Ｃ，…で放送予定の番組Ａ１，Ａ２，Ａ３，…、番組Ｂ１，Ｂ２，Ｂ３，…、番組Ｃ１，Ｃ２，Ｃ３，…の番組名等が表示される。そして、ユーザのリモコン操作により番組表示欄２１Ａ，２１Ｂ，２１Ｃ，…におけるそれぞれの番組の表示位置にカーソル（図示せず）が移動されると、カーソルの移動先の番組の内容等の情報が表示されるようになっている。
【００２８】
図２に示す電子番組表２０において、番組Ａ１，Ｂ１，Ｃ１，…が現在放送中の番組である。例えば、チューナ２ａによりチャンネルＡを選局し、番組Ａ１を再生している際に、電子番組表２０を表示させたとする。このとき、ユーザが番組Ａ１以外の番組の内容を確認するために、リモコン操作により電子番組表２０内のカーソルをチャンネルＡ以外の番組表示欄に移動させると、制御部１２は、カーソルの移動先のチャンネルを選局するようにチューナ２ｂに制御信号を送信する。
【００２９】
例えば、カーソルが番組表示欄２１Ｂの番組Ｂ１の表示位置に移動されると、制御部１２は、チューナ２ｂにチャンネルＢを選局させる。チャンネルＢを選局したチューナ２ｂはトランスポートストリームをデマルチプレクサ３ｂに出力する。デマルチプレクサ３ｂは、チューナ２ｂからのトランスポートストリームから圧縮された映像データを抽出し、デコーダ４ｂは、圧縮された映像データを伸張する。そして、映像処理部５ｂは、デコーダ４ｂからの映像データを表示部１０に表示できる映像信号に変換する。
【００３０】
この場合のチューナ２ｂの選局はユーザが認識するものではなく、裏チャンネルとして選局するものであり、表示部１０の表示は電子番組表２０のままである。ただし、一般的には再生中の番組の画像を表示させておく電子番組表２０の子画面２２に対して、カーソルの移動とともに裏チャンネルとして選局するチューナ２ｂの番組の画像を表示させるようにしてもよい。
【００３１】
そして、ユーザのリモコン操作により番組Ｂ１の視聴を決定する指示が受光部１１を介して入力されると、制御部１２は、映像処理部５ａから映像処理部５ｂに選択を切り替え、映像処理部５ｂで生成された映像信号を選択して出力するように、セレクタ６に制御信号を送信する。これにより、番組Ｂ１が表示部１０に表示される。
【００３２】
なお、上記の説明では、チューナ２ａで選局したチャンネルの表示中に、チューナ２ｂで裏チャンネルの選局を行う場合について説明したが、チューナ２ａとチューナ２ｂとは順次役割を入れ替えることができ、チューナ２ｂで選局したチャンネルの表示中には、チューナ２ａで裏チャンネルの選局を行うようにする。
【００３３】
次に、電子番組表を用いた視聴予約について説明する。電子番組表を表示している状態において、ユーザのリモコン操作により電子番組表内のカーソルが所望の番組の表示位置に移動され、視聴予約を行う指示が受光部１１を介して入力されると、制御部１２は、当該番組の放送日、放送開始時刻、番組名、チャンネルの情報を電子番組表データから取得して、これらの情報を視聴予約情報に追加する。
【００３４】
視聴予約情報は、ユーザのリモコン操作により視聴予約が設定された各番組の放送日、放送開始時刻、番組名、チャンネルの情報を含み、制御部１２により生成されてメモリ１３に格納されている。なお、予約視聴が実行された番組については、録画予約情報から消去される。
【００３５】
次に、視聴予約番組を表示する手順について、図３に示すフローチャートを参照して説明する。
【００３６】
通常の再生を行っている定常状態において、チューナ２ａにより選局したチャンネルの番組を表示部１０に表示しているとする。この定常状態で、ステップＳ１０において、制御部１２は、メモリ１３に視聴予約情報が格納されているか否かを判断する。視聴予約情報が格納されている場合（ステップＳ１０：ＹＥＳ）、ステップＳ２０に進む。視聴予約情報が格納されていない場合（ステップＳ１０：ＮＯ）、ステップＳ５０に進み、表示中の番組の表示を継続する。その後、ステップＳ１０に戻り、以降の処理を繰り返す。
【００３７】
ステップＳ２０では、制御部１２は、視聴予約情報における放送開始時刻が直近の視聴予約番組である直近視聴予約番組のチャンネルを裏チャンネルとして選局するようにチューナ２ｂに制御信号を送信する。
【００３８】
次いで、ステップＳ３０において、制御部１２は、直近視聴予約番組の放送開始時刻になったか否かを判断する。放送開始時刻になった場合（ステップＳ３０：ＹＥＳ）、ステップＳ４０に進み、放送開始時刻になっていない場合（ステップＳ３０：ＮＯ）、ステップＳ３０の処理を繰り返す。
【００３９】
ステップＳ４０では、制御部１２は、チューナ２ａにより選局して表示部１０に表示しているチャンネルと、直近視聴予約番組のチャンネルとが同じであるか否かを判断する。同じである場合（ステップＳ４０：ＹＥＳ）、ステップＳ５０に進み、表示中の番組の表示を継続する。その後、ステップＳ１０に戻り、以降の処理を繰り返す。
【００４０】
同じでない場合（ステップＳ４０：ＮＯ）、ステップＳ６０において、制御部１２は、映像処理部５ａから映像処理部５ｂに選択を切り替え、映像処理部５ｂで生成された映像信号を選択して出力するように、セレクタ６を制御する。これにより、ステップＳ５０において、直近視聴予約番組が表示部１０に表示される。
【００４１】
なお、上記ステップＳ２０において直近視聴予約番組のチャンネルをチューナ２ｂで選局してから、直近視聴予約番組の放送開始時刻になるまでの間に、電子番組表を用いた選局および視聴決定が行われた場合は、この新たに視聴決定されたチャンネルをチューナ２ｂで選局し、直近視聴予約番組のチャンネルをチューナ２ａで選局するように、役割を入れ替えるようにする。また、この選局および視聴決定が複数回行われた場合は、そのたびごとにチューナ２ａとチューナ２ｂとの役割を入れ替えるようにすればよい。
【００４２】
上記説明のように本実施の形態によれば、２つのチューナ２ａ，２ｂを備え、再生に用いていないチューナにより、電子番組表におけるカーソルの移動先のチャンネルを裏チャンネルとして選局しておき、視聴決定の指示が入力されたときに、セレクタ６による選択の切り替えにより裏チャンネルの番組を表示させる。これにより、視聴決定が行われてから選局を開始する従来の方法に比べて、視聴決定を実行してから番組が表示されるまでの時間を短縮できる。
【００４３】
また、視聴予約が設定されている場合は、視聴予約番組のチャンネルを裏チャンネルとして選局しておくことで、視聴予約番組の放送開始時刻になったときに、セレクタ６による選択の切り替えを行うだけで視聴予約番組を表示させることができるので、視聴予約番組の放送開始時刻になってから表示されるまでの時間を短縮できる。
【図面の簡単な説明】
【００４４】
【図１】本発明の実施の形態に係るデジタル放送受信装置の構成を示すブロック図である。
【図２】電子番組表の一例を示す図である。
【図３】図１に示すデジタル放送受信装置において視聴予約番組を表示する手順を示すフローチャートである。
【符号の説明】
【００４５】
１  デジタル放送受信装置
２ａ，２ｂ  チューナ
３ａ，３ｂ  デマルチプレクサ（ＤＥＭＡＸ）
４ａ，４ｂ  デコーダ
５ａ，５ｂ  映像処理部
６  セレクタ
７  ＥＰＧ表示部
８  映像合成部
９  映像出力部
１０  表示部
１１  受光部
１２  制御部
１３  メモリ
１４  アンテナ
【図１】
2009033225.tif 000003
【図２】
2009033225.tif 000004
【図３】
2009033225.tif 000005